(57)【要約】  移動通信局にサービスを提供可能な１つ以上のアクセスネットワークからアクセスネットワークを選択する方法において、前記移動通信局から各アクセスネットワークへの無線品質が判定され（Ｓ１）、各アクセスネットワークに対して、少なくとも１つのノードに対する利用率が判定され（Ｓ２）、各アクセスネットワークに対し、前記判定された利用率と、前記アクセスネットワークに対する前記判定された無線品質に基づいて、ユーザ知覚データ品質が判定され（Ｓ３）、前記判定されたユーザ知覚データ品質に基づいて、前記アクセスネットワークの少なくとも１つが選択される（Ｓ４）。これによって、ユーザ知覚データ品質を改良することができる。
2007515123.tif 000002
【特許請求の範囲】
【請求項１】
移動通信局にサービスを提供可能な１つ以上のアクセスネットワークからアクセスネットワークを選択する方法であって、
前記移動通信局から各アクセスネットワークへの無線品質を判定するステップ（Ｓ１）と、
各アクセスネットワークに対して、少なくとも１つのノードに対する利用率を判定するステップ（Ｓ２）と、
各アクセスネットワークに対し、前記判定された利用率と、前記アクセスネットワークに対する前記判定された無線品質に基づいて、ユーザ知覚データ品質を判定するステップ（Ｓ３）と、
前記判定されたユーザ知覚データ品質に基づいて、前記アクセスネットワークの少なくとも１つを選択するステップ（Ｓ４）と
を備えることを特徴とする方法。
【請求項２】
前記判定された無線品質ｑに基づいて、各アクセスに対する無線リンクビットレートμを推定するステップと、
前記判定された利用率と前記推定された無線リンクビットレートに基づいて、前記ユーザ知覚データ品質を判定するステップと
を備えることを特徴とする請求項１に記載の方法。
【請求項３】
前記無線リンクビットレートは、
2007515123.tif 000008
に従って推定し、
ｇは、アクセス特定関数である
ことを特徴とする請求項２に記載の方法。
【請求項４】
前記無線リンク品質ｑは、パイロット信号強度、ビーコン信号強度、Ｅc／Ｎ0、ＳＩＲ、Ｃ／Ｉ、ビット訂正レート、ブロック訂正レート及びパケット訂正レートの内の少なくとも１つによって表現される
ことを特徴とする請求項３に記載の方法。
【請求項５】
前記判定するステップ（Ｓ３）は、前記ユーザ知覚データ品質を、
2007515123.tif 000009
に従って判定し、
μは前記無線リンクビットレートを示し、ρは前記アクセスに対する前記利用率を示す
ことを特徴とする請求項２または３に記載の方法。
【請求項６】
前記判定するステップ（Ｓ３）は、前記ユーザ知覚データ品質を、
2007515123.tif 000010
に従って判定し、
μは前記無線リンクビットレートを示し、ρは前記アクセスに対する前記利用率を示す
ことを特徴とする請求項２または３に記載の方法。
【請求項７】
前記μは、一定値である
ことを特徴とする請求項２乃至６のいずれか１項に記載の方法。
【請求項８】
前記ρは、一定値である
ことを特徴とする請求項５乃至７のいずれか１項に記載の方法。
【請求項９】
前記関数ｆ（ρ）は、アクセスネットワークの各タイプに対して専用である
ことを特徴とする請求項５に記載の方法。
【請求項１０】
前記ユーザ知覚データ品質は、前記アクセスネットワークに対するデータビットレートを用いて表現される
ことを特徴とする請求項１乃至９のいずれか１項に記載の方法。
【請求項１１】
前記ユーザ知覚データ品質は、前記アクセスネットワークに対するアクティグセッションデータスループットを用いて表現される
ことを特徴とする請求項１乃至９のいずれか１項に記載の方法。
【請求項１２】
前記データビットレートは、推定セッション回線交換等価（ＣＳＥ）ビットレートを有する
ことを特徴とする請求項１０に記載の方法。
【請求項１３】
前記ρは、以下の式に
2007515123.tif 000011
よって推定され、
ＰCCHは共用電力であり、ＰTOTは総電力である
ことを特徴とする請求項５または６に記載の方法。
【請求項１４】
ＰCCHは、前記受信パイロット電力と、他の共用チャネルを補償する要素ＦCCHから推定され、ＰTOTは、前記受信ワイドバンド信号強度から推定される
ことを特徴とする請求項１３に記載の方法。
【請求項１５】
前記判定するステップ（Ｓ２）は、少なくとも受信パイロット電力ＳＳpilotと総電力ＳＳoutを、受信ワイドバンド信号強度から測定することによって前記利用率を判定し、これによって、ρによって示される前記利用率が推定される
ことを特徴とする請求項１４に記載の方法。
【請求項１６】
前記選択するステップ（Ｓ４）は、前記端末がアクセスに接続する前に、前記少なくとも１つのアクセスを選択する
ことを特徴とする請求項１に記載の方法。
【請求項１７】
前記アクセスは、同一タイプの無線アクセス技術を利用する
ことを特徴とする請求項１に記載の方法。
【請求項１８】
前記アクセスは、異なるタイプの無線アクセス技術を利用する
ことを特徴とする請求項１に記載の方法。
【請求項１９】
前記アクセスは、同一のネットワークに属している
ことを特徴とする請求項１に記載の方法。
【請求項２０】
前記アクセスは、異なるネットワークに属している
ことを特徴とする請求項１に記載の方法。
【請求項２１】
前記アクセスは、同一のオペレータに属している
ことを特徴とする請求項１に記載の方法。
【請求項２２】
前記アクセスは、異なるオペレータに属している
ことを特徴とする請求項１に記載の方法。
【請求項２３】
前記１つ以上のアクセスは、ＷＣＤＭＡ、ＣＤＭＡ２０００、ＧＳＭ、ＷＬＡＮあるいはＧＰＲＳの少なくとも１つを含んでいる
ことを特徴とする請求項１乃至２２のいずれか１項に記載の方法。
【請求項２４】
前記ノードは、少なくとも１つのアクセスポイントと、基地局を備えている
ことを特徴とする請求項１乃至２３のいずれか１項に記載の方法。
【請求項２５】
移動通信局にサービスを提供することが可能な１つ以上のアクセスネットワークからアクセスネットワークを選択することを可能にするシステムであって、
前記移動通信局（１０）から各アクセスネットワークへの無線品質を判定する手段（１２）と、
各アクセスネットワーク（２０）に対して、少なくとも１つのノードに対する利用率を判定する手段（１３）と、
各アクセスネットワーク（２０）に対し、前記判定された利用率と、前記アクセスネットワークに対する前記判定された無線品質に基づいて、ユーザ知覚データ品質を判定する手段（１４）と、
前記判定されたユーザ知覚データ品質に基づいて、前記アクセスネットワークの少なくとも１つを選択する手段（１５）と
を備えることを特徴とするシステム。
【請求項２６】
前記判定する手段（１２）は、前記判定された無線品質ｑに基づいて、各アクセスに対する無線リンクビットレートμを推定するように構成されている手段（１２’）を備え、
前記判定する手段（１４）は、前記判定された利用率と前記推定された無線リンクビットレートに基づいて、前記ユーザ知覚データ品質を判定するように構成されている
ことを特徴とする請求項２５に記載のシステム。
【請求項２７】
前記推定手段（１２’）は、前記無線リンクビットレートを
2007515123.tif 000012
に従って推定するように構成されていて、
ｇは、アクセス特定関数である
ことを特徴とする請求項２６に記載のシステム。
【請求項２８】
前記ユーザ知覚データ品質を判定する手段（１４）は、前記ユーザ知覚データ品質を、
2007515123.tif 000013
に従って判定するように構成されている
ことを特徴とする請求項２５に記載のシステム。
【請求項２９】
前記ユーザ知覚データ品質を判定する手段（１４）は、前記ユーザ知覚データ品質を、
2007515123.tif 000014
に従って判定するように構成されている
ことを特徴とする請求項２５に記載のシステム。
【請求項３０】
前記利用率を判定する手段（１３）は、前記ρを、
2007515123.tif 000015
よって推定するように構成され、
ＰCCHは共用電力であり、ＰTOTは総電力である
ことを特徴とする請求項２８または２９に記載のシステム。
【請求項３１】
ＰCCHは、前記受信パイロット電力と、前記他の共用チャネルを補償する要素ＦCCHから推定され、ＰTOTは、前記受信ワイドバンド信号強度から推定される
ことを特徴とする請求項３０に記載のシステム。
【請求項３２】
前記利用率は、少なくとも受信パイロット電力ＳＳpilotと総電力ＳＳoutを、受信ワイドバンド信号強度から測定することによって判定され、これによって、ρによって示される前記利用率が推定される
ことを特徴とする請求項３１に記載のシステム。
【請求項３３】
前記無線リンク品質判定手段（１２）は、パイロット信号強度、ビーコン信号強度、Ｅb／Ｎ0、ＳＩＲ、Ｃ／Ｉの内の少なくとも１つに基づいて推定されるように構成されている
ことを特徴とする請求項２６乃至２９のいずれか１項に記載のシステム。
【請求項３４】
前記ノードは、少なくとも１つのアクセスポイントと、基地局を備えている
ことを特徴とする請求項２５乃至３３のいずれか１項に記載のシステム。
【請求項３５】
１つ以上のアクセスネットワーク（２０）からサービスを受信することが可能な移動通信局（１０）あって、
当該移動通信局（１０）から各アクセスネットワークへの無線品質を判定する手段（１２）と、
各アクセスネットワーク（２０）に対して、少なくとも１つのノードに対する利用率を判定する手段（１３）と、
各アクセスネットワーク（２０）に対し、前記アクセスネットワーク（２０）に対する利用率に基づいて、ユーザ知覚データ品質を判定する手段（１４）と、
前記判定されたユーザ知覚データ品質と前記無線品質に基づいて、前記アクセスネットワークの少なくとも１つを選択する手段（１５）と
を備えることを特徴とする移動通信局。
【発明の詳細な説明】
【技術分野】
【０００１】
技術分野
本発明は、一般的に、マルチ無線アクセスシステムに関するものであり、詳しくは、このようなシステムにおけるアクセス選択に対する方法及び装置に関するものである。
【０００２】
背景
今日では、様々な無線アクセス技術（ＲＡＴ）及び規格に基づく、広範囲の無線及び有線接続ネットワークが存在している。各ＲＡＴは、容量、コスト、利用可能なデータレート及びエンドユーザモビリティについてのサポートに関する、自身の強度及び弱点を持ち、また持つことになる。従って、１つのＲＡＴで、すべてのサービスかつユーザ要求を完全にサポートすることはできない。それゆえ、現在の要求あるいはリクエストされたサービスに依存して、複数のアクセスを利用可能にすることをユーザ及び自身の端末に対して必要であり、かつ必要となることになる。いくつかのマルチアクセス環境が近い将来存在することになる。例えば、これは、ユニバーサル移動電気通信システム（ＵＭＴＳ）及び無線ローカルエリアネットワーク（ＷＬＡＮ）の両方を備えている。
【０００３】
従来技術では、文献［１］における無線品質、サービスタイプ及び負荷に基づいて無線アクセスが選択されることが観察される。無線品質（ハンドオーバ）及び負荷（負荷分散）に基づくアクセスポイント（セル）選択は、セルラーネットワーク内の方法で確立される。
【０００４】
近い将来では、いくつかの無線リソース管理（ＲＲＭ）分散環境は、例えば、文献［２］による、「ネットワークアシスタンスなしに制御される端末」が可能である。おそらく、複数のオペレータ加入は、少なくともＷＬＡＮに対して可能となるであろう。未調整のＷＬＡＮアクセスは既に存在している。
【０００５】
上述の例では、無線アクセス技術、無線ネットワーク及びアクセスポイントの少なくともいずれかの選択を実行しなければならない。
【０００６】
要約
本発明の一般的な目的は、マルチアクセスシステム内のアクセス選択メカニズムの改良を可能にすることである。
【０００７】
別の目的は、無線品質及び、各アクセスに対する負荷あるいは利用に基づく、アクセス選択に対するメカニズムを可能にすることである。
【０００８】
更に別の目的は、負荷及び無線品質から推定される、推定ユーザ知覚品質に基づくアクセス選択に対するメカニズムを提供することである。
【０００９】
本発明の更なる目的は、
・マルチアクセス選択において、最高ビットレートを与えるアクセスの選択を可能にすること、
・マルチオペレータ選択において、最高ビットレートを与えるネットワークの選択を可能にすること、
・未調整ＷＬＡＮアクセスポイントネットワークにおいて、最高ビットレートを与えるアクセスポイントの選択を可能にすること、
・測定ツール（ＴＥＭＳ）において、ネットワークアクセス不要のデータ品質の推定を可能にすること
・ハンドオーバの改良を可能にすること
である。
【００１０】
これらの目的及びその他の目的は、請求項に従って達成される。
【００１１】
基本的には、無線アクセス使用、あるいは負荷あるいは利用は、端末によって測定され、また、典型的には、他の無線測定値と組み合わせて使用され、これによって、アクセスポイントあるいはノードのパケットデータビットレートのようなユーザ知覚品質測定値を推定する。
【００１２】
簡単に説明すると、本発明は、アクセス前に、負荷あるいは利用を考慮する、ユーザ知覚データ品質推定を可能にし、これは、マルチアクセスマルチオペレータ環境において、端末ベースの最適ユーザ品質アクセス選択を可能にする。
【００１３】
本発明の利点は、
・アクセス前にデータ品質の推定を可能にすること
・セル／ＡＰ負荷を考慮すること
・システム調整不要の最適ユーザ品質マルチアクセス選択を可能にすること
・オペレータ調整不要の最適ユーザ品質マルチオペレータ選択を可能にすること
・端末に基づく負荷分散アクセス選択を可能にすること
・インフラストラクチャに無影響
・改良ハンドオーバ
を有する。
【００１４】
詳細説明
図１では、マルチ無線アクセス環境の図が示されている。これによれば、この環境は、移動通信端末を備え、これは、複数のアクセスネットワークの少なくとも１つ、あるいは複数のアクセスネットワークと通信することができる。ある時点のいくつかの地点で、この端末は、複数のアクセスの少なくとも１つを選択することを可能にすることが必要である。
【００１５】
アクセスネットワークの負荷あるいは利用は、パケットデータレートにおいて大きな影響を持っている文献［３］。既存の負荷分散メカニズムである、セル選択及び無線アクセス選択の文献［１］の両方がネットワークに基づいている。あまり調整されていない環境では、このようなソリューションは利用できない、あるいは少なくともかなり複雑となる。また、オペレータにとっては、端末あるいはユーザに対して負荷情報をサポートすることはあまり関心はない。
【００１６】
また、ユーザは、ネットワークあるいはシステムの全体の容量よりも、品質、即ち、ユーザ知覚（perceived）品質Ｑuにより関心がある一方で、オペレータは、いくつかの場合に、正反対のことに関心がある。
【００１７】
本明細書を通して、負荷という用語は、利用あるいは利用率と置き換え可能であり、これは、アクセスネットワークの少なくとも１つのアクセスポイント／基地局の利用を示している。これは、アクセスネットワーク全体の全体負荷を示すものではない。
【００１８】
一般的な実施形態に従えば、本発明は、基本的には、これは、負荷あるいは利用を考慮して、アクセス前にユーザ知覚データ品質Ｑuを推定する。これによって、マルチアクセスマルチオペレータ環境において、端末ベースの最適ユーザ品質アクセス選択を可能にする。
【００１９】
別の一般的な実施形態に従えば、本発明は、複数の利用可能なアクセスに対する無線品質を判定し、各アクセスに対する負荷あるいは利用率を判定し、判定された品質及び負荷に基づいてユーザ知覚品質を推定し、そして、最適なユーザ知覚品質を与える少なくとも１つのアクセスを選択する。これによって、改良されたアクセス選択を提供する。
【００２０】
本発明に従う方法の一実施形態は、図２を参照して説明される。これは、改良されたアクセス選択についての方法の実施形態のフロー図を示している。
【００２１】
最初に、ステップＳ１で、１つ以上の利用可能アクセスに対する無線品質ｑが判定される。これらのアクセスは、共有ネットワーク内のアクセスポイント、基地局あるいはその類を有している。共有ネットワークには、ＷＬＡＮ、あるいは同一あるいは異なるＲＡＴを利用する様々なアクセスネットワーク、あるいは１つあるいは異なるオペレータに属する様々なアクセスネットワーク、あるいはそれらの任意の組み合わせがある。
【００２２】
特定の実施形態に従えば、判定ステップＳ１は、更に、以下の式に従って判定された無線品質ｑに基づいて、各アクセスに対する無線リンクビットレートμを推定する中間ステップを更に備える。
【００２３】
2007515123.tif 000003
【００２４】
ここで、μは無線リンクビットレートであり、ｇはアクセス特定関数である。これによれば、μは、パイロット信号強度、ビーコン信号強度、Ｃ／ＩあるいはＥｂ／Ｎ0、あるいはビット／ブロック／パケット訂正レートのような他の品質パラメータの内の任意のものの関数として判定することができる。
【００２５】
端末は、期待符号化及び変調レートとして、アクセス前にμを推定することができる。μの値は、各端末に対して専用にすることができる、あるいは状況に応じて一定にすることができる、あるいは各端末に対して同一にすることができる。また、μの値は様々なアクセスからの信号強度に依存することができる。
【００２６】
次のステップＳ２では、少なくとも１つの利用可能なアクセスネットワーク内の少なくとも１つのノードについての、利用率ρあるいは負荷が判定される。このノードは、アクセスポイント、基地局あるいはその類の内の任意のものとすることができる。
【００２７】
時分割多重アクセス（ＴＤＭＡ）システム、例えば、ＧＳＭ／ＧＰＲＳ／ＥＤＧＥに対しては、アクセスポイント／基地局あるいはアクセスネットワークに対する負荷あるいは利用率ρは、文献［５］に従えば、稼動率（fraction of activation）として測定することができる。
【００２８】
また、本発明に従えば、サーバ利用率ρあるいは負荷は、キャリヤ周波数（主に、ＷＬＡＮに対するものであるが、ダウンリンクワイドバンド符号分割多重アクセス（ＷＣＤＭＡ）及びＣＤＭＡ２０００に対するものでもある）上の稼働率として、端末によって測定することができる。この利用率は、アクセスポイントからに明示的に信号として発信することもできる。
【００２９】
ＷＣＤＭＡとＣＤＭＡ２０００に対しては、文献［４］を参照すると、これは、以下の式に従って、負荷率として測定することができる。
【００３０】
2007515123.tif 000004
【００３１】
共用電力ＰCCHは受信パイロット電力から推定することができ、また、総電力Ｐtotは受信ワイドバンド信号強度から推定することができる。
【００３２】
2007515123.tif 000005
【００３３】
ここで、ＦCCHは、ブロードキャストチャネルのような他の共用チャネルを補償する要素である。これは、マルチプルセルの場合での負荷を過大評価する場合がある。これは、ＳＳtotが、エリア内のいくつかのセルから送信される信号を含むことになるからである。この誤りは、ハンドオーバ（ＨＯ）エリア内のみ重要となり、また、ユーザ知覚データ品質判定の品質に影響を与えることになるが、依然として、アクセス選択に対して使用することができる。
【００３４】
また、ステップＳ３では、各アクセスあるいはアクセスネットワークに対するユーザ知覚データ品質Ｑuは、μによって示される無線品質と、少なくとも１つの利用可能なアクセスネットワーク内の少なくとも１つのノードに対する利用率ρあるいは負荷に基づいて判定される。
【００３５】
一実施形態に従えば、ユーザ知覚データ品質Ｑuは、回線交換等価ビットレート（ＣＳＥ−ビットレート）の推定によって表現することができる。ＣＳＥは、「ビットが配信された時間で、配信された情報ビット数を割ったもの」として定義される。
【００３６】
別の実施形態に従えば、ユーザ知覚データ品質Ｑuは、ＵＭＴＳ３０．６３の文献［６］で定義されるように、アクティグセッションスループットによって表現することができる。
【００３７】
ユーザ知覚データ品質とキャリヤ周波数負荷の間には明確な相関が存在している。本発明の実施形態に従えば、ユーザ知覚データ品質Ｑuは、以下の式に従って推定することができる。
【００３８】
2007515123.tif 000006
【００３９】
ここで、μは無線リンクビットレート［ｋｂｐｓ］であり、ρは利用率（０＜ρ＜１）である。図３では、ユーザ知覚データ品質はＣＳＥビットレートで表現される。ここで、絶対利用あるいはρ＊システム容量はｘ軸であり、Ｅ［ＣＳＥ］はｙ軸であり、μは図中の破線のｙ軸との交点である。
【００４０】
同一の表現／表現群を使用して、データスループットを推定することも可能であり、これは、ＣＳＥについては正確でないが、パラメータの大まかな推定を与えるには十分である。
【００４１】
より一般的な実施形態に従えば、ユーザ知覚データ品質Ｑuは、以下の式に従って判定することができる。
【００４２】
2007515123.tif 000007
【００４３】
ここで、μは無線リンクビットレートであり、ｆは既知のアクセス特定関数である。このような式によって推定することができるアクセスの一例が、図４で示される。ここでは、ユーザ知覚データ品質Ｑuは、回線交換等価ビットレート（ＣＳＥ）によって表現される。
【００４４】
状況に応じて、ＣＳＥビットレートは、最大ベアラーレートと上述の式の１つとの比較に基づいて判定することができ、これによって、最適な推定値は、下位の２つの値となる。
【００４５】
そして、ステップＳ４で、最適ユーザ知覚データ品質Ｑuのアクセスが端末によって選択される。この選択は、次のものから任意のものを可能にする。
【００４６】
・システム調整不要の最適ユーザ品質マルチアクセス選択
・オペレータ調整不要の最適ユーザ品質マルチオペレータ選択
・端末に基づく負荷分散アクセス選択
・ハンドオーバの改良
上述の関連事項に加えて、通信範囲も考慮することができる。無線リンクの電力制限とサーバへの経路損失の情報を用いると、例えば、ＷＣＤＭＡで、３８４ｋｂｐｓベアラーに対する通信範囲が存在する場合の最大ビットレートを算出することができる。
【００４７】
いくつかの他のパラメータを使用して、アクセスのユーザ知覚品質を表現することができ、このようなパラメータには、アクティブセッションスループットがある。これは、上述の方法と同一の方法で推定することができるが、精度はある程度低下したものになっている。しかしながら、大まか推定として使用することができ、これは、少なくともより良好な品質で端末で受信するための機会を改善する。
【００４８】
以下で、本発明の実施形態の例を、図５を参照して説明する。
【００４９】
本発明に従う端末１０、例えば、移動ユニットが、ＷＬＡＮネットワーク２０とＷＣＤＭＡ  ＨＳ−ネットワーク２０の１つを選択しなければならない状況に遭遇しているものとする。まず、端末１０は、ＷＬＡＮ及びＷＣＤＭＡそれぞれに対する無線信号強度あるいは無線信号品質を測定する。その結果、２つのシステム２０に対してμを推定することができる。
【００５０】
この例に従えば、無線信号品質測定はＷＬＡＮに対してｑ1＝１ｄＢとなり、ＷＣＤＭＡに対してｑ2＝３ｄｂとなる。図６及び図７で提供されるｇ関数群を使用すると、ＷＬＡＮに対してμ1＝５Ｍｂｐｓ、ＷＣＤＭＡに対してμ2＝３Ｍｂｐｓが導かれる。
【００５１】
図６及び図７は例として提示しているだけで、μを判定するための唯一の方法としてみなされるべきでない。
【００５２】
次に、端末１０は、ＷＬＡＮネットワーク２０に対する使用を示す利用率ρ1と、ＷＣＤＭＡ  ＨＳネットワーク２０に対する式２に従う使用を示す利用率ρ2を測定する。ここでは、ρ1＝０．７、ρ2＝０．３とする。
【００５３】
次のステップでは、端末は、式４（あるいは式５）、例えば、Ｅ［ＣＳＥ］＝μ（１−ρ）に従って、２つのシステム２０に対するＣＳＥを推定する。これにより、Ｅ［ＣＳＥ］WLAN＝５＊（１−０．７）＝１．５Ｍｂｐｓ、Ｅ［ＣＳＥ］WCDMHS＝３＊（１−０．３）＝２．１Ｍｂｐｓとなる。
【００５４】
２つのシステム２０に対して推定されたＣＳＥに基づいて、端末１０は、接続するあるいは利用するＷＣＤＭＡ  ＨＳを選択する。
【００５５】
図８は、本発明に従う移動通信端末１０の実施形態を示している。この端末１０は、入力／出力ユニット１１、複数のアクセスに対する無線品質を判定するためのユニット１２、複数のアクセスのそれぞれに対する少なくとも１つのアクセスポイントの負荷あるいは利用率を判定するためのユニット１３、判定された無線品質及び利用に基づいてユーザ知覚データ品質を判定するためのユニット１４、判定されたユーザ知覚データ品質に基づいて少なくとも１つのアクセスを選択するための選択ユニット１５を備えている。
【００５６】
無線品質判定ユニット１２は、無線品質の関数として、無線リンクビットレートを推定するように更に構成することができる。これによって、ユーザ知覚データ品質が、無線リンクビットレートと利用に基づいて判定される。
【００５７】
状況に応じて、負荷あるいは利用判定ユニット１３は、マルチアクセスシステムのアクセスポイントあるいは他のコンポーネントからの信号によって負荷を受信するように構成することができる。あるいは負荷ユニット１３は、自身における負荷の測定を実行して判定するように構成することができる。
【００５８】
推定されたＣＳＥビットレートは、最終的には、いくつかの目的に対して使用することができるばかりか、以下のことに関連するいくつかの非マルチアクセスを含むアクセス選択に対して使用することができる。
【００５９】
・マルチアクセス選択において、最高ビットレートを与えるアクセスの選択
・マルチオペレータ選択において、最高ビットレートを与えるネットワークの選択
・未調整ＷＬＡＮ  ＡＰネットワークにおいて、最高ビットレートを与えるＡＰの選択
・測定ツール（ＴＥＭＳ）において、ネットワークアクセス不要のデータ品質の推定
・ハンドオーバ選択状況
本発明は、次の場合についてのアクセス選択に同様に適用可能である。ｉ）同一のオペレータあるいは異なるオペレータに属するアクセス、同一あるいは異なる無線アクセス技術に属するアクセス、ｉｉｉ）同一あるいは異なるアクセスネットワークに属するアクセスがある。
【００６０】
様々な変更及び変形が、請求項によって定義される本発明の範囲を逸脱することなく本発明を実現できることが理解されるであろう。
【００６１】
文献
文献［１］  ＷＯ２０００３０８８６８６  「マルチアクセスシステム用マルチサービス割当ストラテジー」  （"Multi-Service Allocation Strategy for Multi-Access Systems"）
文献［２］  ピー．マグヌソン等  「３Ｇマルチ無線アクセスアーキテクチャにおける無線リソース管理分散」、２００４年グローブコムへ提出（P. Magnusson et al, "Radio Resource Management Distribution in a Beyond 3G Multi-Radio Access Architecture", Submitted to Globecom 2004｝）
文献［３］  エイ．  フルスカル  「マルチベアラーサービス用の無線リソース共有及びベアラーサービス割当」、２００３年５月、スウェーデン、技術王室協会、ＩＳＳＮ１４００−９１３７、論文（A. Furuskar :"Radio Resource Sharing and Bearer Service Allocation for Multi- Bearer Service", Dissertation, ISSN 1400-9137, Royal Institute of Technology, Sweden, May 2003.）
文献［４］  ケイ．ヒルツネン及びアール．デ  ベルナルディ  「ＷＣＤＭＡ  ダウンリンク容量推定」、ＶＣＴ  ２０００  春季（K. Hiltunen and R. De Bernard, "WCDMA Downlink Capacity Estimation", VTC2000 Spring）
文献［５］  Ｗ０２００１９１４９５  「ネットワークアクセス不要の移動電気通信システムのセル内のチャネル上の負荷の推定」（"Estimating load on channel within cell of mobile telecommunications system without requiring access to the network", W0200191495）
文献［６］  １９９８年  規格書  ＵＭＴＳ３０．０３  バージョン３．２．０  チャプター  Ｂ．１．６．５．１（Standard document, UMTS30. 03 version 3.2. 0 Chapter B. 1. 6.5. 1, 1998）
【図面の簡単な説明】
【００６２】
【図１】本発明で利用できる、汎用マルチアクセスシステムを示す図である。
【図２】本発明に従う実施形態のフロー図である。
【図３】本発明に従う実施形態の効果を示す図である。
【図４】本発明に従う別の実施形態の効果を示す図である。
【図５】本発明に従う実施形態を示す図である。
【図６】本発明の実施形態に従う例を示す図である。
【図７】本発明の実施形態に従う別の例を示す図である。
【図８】本発明に従う装置の実施形態を示す図である。
【図１】
2007515123.tif 000016
【図２】
2007515123.tif 000017
【図３】
2007515123.tif 000018
【図４】
2007515123.tif 000019
【図５】
2007515123.tif 000020
【図６】
2007515123.tif 000021
【図７】
2007515123.tif 000022
【図８】
2007515123.tif 000023
【国際調査報告】
2007515123.tif 000024
2007515123.tif 000025
2007515123.tif 000026